(57)【要約】【課題】複数の織物の温度変化を同時、且つ持続的に感知できる織物温度計測装置の提供。【解決手段】所定の効果範囲内の温度条件を構成する環境温度シミュレータ３と、環境温度シミュレータ３の効果範囲内に配置された織物保持手段６と、織物保持手段６に設置される複数の織物の、環境温度シミュレータ３に応じて生じた温度を同時、且つ持続的に感知することができるように構成された温度感知手段と、を備えていることを特徴とする織物温度計測装置を提供する。【選択図】図１
0003176154.tif 000002
【実用新案登録請求の範囲】
【請求項１】
所定の効果範囲内の温度条件を構成する環境温度シミュレータと、
前記環境温度シミュレータの前記効果範囲内に配置された織物保持手段と、
前記織物保持手段に設置される複数の織物の、前記環境温度シミュレータに応じて生じた温度を同時、且つ持続的に感知することができるように構成された温度感知手段と、
を備えていることを特徴とする織物温度計測装置。
【請求項２】
前記環境温度シミュレータは、前記織物保持手段から距離を置いて配置され、且つ前記織物保持手段に設置される複数の織物の温度を、前記織物保持手段と前記環境温度シミュレータとの間にある空間を経由して変化させる構成になっており、
更に、前記織物保持手段と前記環境温度シミュレータとの間に遮断板が配置されており、該遮断板は、前記織物保持手段に設置される複数の織物の温度を変化させる前記環境温度シミュレータの効果を遮断する遮断位置と、遮断しない待機位置との間で切り替えることができるように構成されていることを特徴とする請求項１に記載の織物温度計測装置。
【請求項３】
前記温度感知手段は、前記織物保持手段に設置される複数の織物の温度変化を同時、且つ持続的に感知することができるセンサーユニットと、該センサーユニットの感知結果をデータ化して記録して比較処理を実行できるデータ処理ユニットとを備えていることを特徴とする請求項１に記載の織物温度計測装置。
【請求項４】
前記温度感知手段は、前記データ処理ユニットの実行状況又は結果を出力するディスプレイユニットを更に備えていることを特徴とする請求項３に記載の織物温度計測装置。
【請求項５】
前記環境温度シミュレータは、前記織物保持手段に設置される複数の織物の温度を上昇させる光加熱用ハロゲンランプであることを特徴とする請求項１に記載の織物温度計測装置。
【請求項６】
前記環境温度シミュレータは、前記織物保持手段に設置される複数の織物の温度を下降させる低温窒素ガス吹き付け装置であることを特徴とする請求項１に記載の織物温度計測装置。
【請求項７】
前記織物保持手段は、中空部を有する環状の支持枠であり、複数の織物を下方から支持できるように構成されており、
前記環境温度シミュレータは、前記織物保持手段の上方に配置され、前記織物保持手段に載せられている複数の織物の温度を変化させるように構成されており、
前記温度感知手段は、前記織物保持手段の下方に配置され、該織物保持手段の中空部を経由して、前記織物保持手段に設置される複数の織物の温度変化を同時且つ持続的に感知するように構成されていることを特徴とする請求項１に記載の織物温度計測装置。
【考案の詳細な説明】
【技術分野】
【０００１】
本考案は外界温度に対する織物の温度変化を計測する装置に関し、特に複数の織物の温度変化を同時、且つ持続的に感知できる織物温度計測装置に関する。
【背景技術】
【０００２】
現在、気温上昇に伴い、地球温暖化が将来の生活環境へ与える影響を考慮する動きが強まっており、例えば衣服に関して、地球温暖化に対応した快適な織物が開発され始めている。快適な織物を開発する様々な方向性の中で、瞬間清涼感を向上することを目的とするものがある。いわゆる瞬間清涼感（ｔｏｕｃｈ  ｆｅｅｌｉｎｇ  ｏｆ  ｗａｒｍｔｈ  ｏｒ  ｃｏｏｌｎｅｓｓ）とは、体が織物に触れた瞬間に感じる涼しさであり、織物がもつこのような瞬間清涼の効果は図７に示される装置で測定することができる。
【０００３】
図７に示すように、一枚２０×２０ｃｍの試料１を常温２５℃の冷板２に配置し、試料１の上に３５℃の熱板４を置き、つまりサンドイッチのように挟み込んだ状態で、０．２秒の間に熱板４の試料１によって取り除かれた熱を計測する方法を採用している。
【０００４】
しかし、衣服とは人体に着用され続けるものであり、着続ければ次第に清涼感も薄まってゆく。つまり、衣服を体に着た瞬間に感じる瞬間清涼感は、その衣服を着続けた時に感じられる清涼感に一致するとは限らない。また、上記瞬間清涼感の計測方法では、同時に複数の試料を計測することができず、効率が悪いという欠点を有している。
【先行技術文献】
【特許文献】
【０００５】
【特許文献１】台湾特許公開第２００９３１０１１号明細書
【考案の概要】
【考案が解決しようとする課題】
【０００６】
本考案では上記従来の測定装置の問題点に鑑みて、複数の織物の温度変化を同時、且つ持続的に感知できる織物温度計測装置の提供を目的とする。
【課題を解決するための手段】
【０００７】
上記目的を達成すべく、本考案は、所定の効果範囲内の温度条件を構成する環境温度シミュレータと、前記環境温度シミュレータの前記効果範囲内に配置された織物保持手段と、前記織物保持手段に設置される複数の織物の、前記環境温度シミュレータに応じて生じた温度を同時且つ持続的に感知することができるように構成された温度感知手段と、を備えていることを特徴とする織物温度計測装置を提供する。
【考案の効果】
【０００８】
上記構成により、本考案の織物温度計測装置は、織物保持手段に設置された複数の織物の、環境温度シミュレータによって変化した温度を同時に且つ持続的に感知することによって、複数の織物の環境温度に対する温度変化を持続的に計測して比較することができる。
【図面の簡単な説明】
【０００９】
【図１】本考案の第１実施形態の正面図である。
【図２】本考案の第１実施例における織物保持手段の拡大斜視図である。
【図３】本考案の第１実施形態の左側面図である。
【図４】本考案の第２実施形態の正面図である。
【図５】本考案の第２実施形態の左側面図である。
【図６】本考案の第３実施形態の正面図である。
【図７】従来の織物温度計測装置の側面図である。
【考案を実施するための形態】
【００１０】
以下では各図面を参照しながら、本考案の織物温度計測装置を用いる方法について詳しく説明する。
【００１１】
図１〜３には、本考案に係る織物温度計測装置の第１実施形態が示されている。図１に示すように、該織物温度計測装置は、支持架台７と、衣服に用いられる織物等の試料１及び試料２が設置された織物保持手段６と、織物保持手段６に設置された試料１及び試料２の温度を変化させることができるように構成された環境温度シミュレータ３と、環境温度シミュレータ３及び織物保持手段６の間に、複数の織物の温度を変化させる効果を遮断するように設置された遮断板５と、織物保持手段６に設置された試料１及び試料２の温度変化を同時、且つ持続的に感知することができるように構成された温度感知手段４とを備える。
【００１２】
支持架台７は垂直に立てられている支持柱７０を有しており、織物保持手段６と、環境温度シミュレータ３と、遮断板５とは、それぞれ固定ユニット８を介して支持柱７０に取り付けられている。各固定ユニット８は、それぞれ支持柱７０によって上下方向に貫通されている中空管状部８１と、該中空管状部８１の管壁にある穴に挿し込まれて該中空管状部８１を支持柱７０に固定するボルト８２とを備えている。
【００１３】
なお、各固定ユニット８は、それぞれが有するボルト８２を緩めると、支持柱７０に対する各中空管状部８１の上下位置、ひいては前記織物保持手段６、環境温度シミュレータ３、及び遮断板５の位置関係を調節することができる。
【００１４】
織物保持手段６は、図２に示されているように、試料１及び試料２を下方から支持できるような中空部を有する環状の支持枠６１と、支持枠６１を左右に回すことができる回旋ユニット６２とから構成されている。回旋ユニット６２には、一端が固定ユニット８により支持柱７０に取り付けられている中空管状部６２１が形成されており、中空管状部６２１にはつまみを有するボルト６２２が設けられている。
【００１５】
環境温度シミュレータ３は、下方の織物保持手段６から距離を置いて配置され、且つ織物保持手段６と環境温度シミュレータ３との間にある空間を経由して織物保持手段６の支持枠６１に設置された試料１及び試料２の温度を上昇させられるように構成されている。本実施形態においては、環境温度シミュレータ３として光加熱用ハロゲンランプ３１が使用され、該光加熱用ハロゲンランプ３１は下方に向かって光を照射し、その下方の一定範囲内の温度条件を上昇させることができる。これにより、環境温度シミュレータ３の下方にある織物保持手段６に載せられている試料１及び試料２は、環境温度シミュレータ３としての光加熱用ハロゲンランプ３１からの光の照射を受けて温度が上昇する。なお、環境温度シミュレータ３としてはスポットライトを使うこともできる。
【００１６】
遮断板５は、環境温度シミュレータ３と織物保持手段６との間に配置され、環境温度シミュレータ３が試料１及び試料２の温度を変化させる効果を遮断できる遮断位置に配置されていると共に、環境温度シミュレータ３が試料１及び試料２の温度を変化させる効果を遮断しない待機位置（図３参照）に切り替わることができる。本考案は、例えば試料１及び試料２を設置する或いは取り替える時に遮断板５を遮断位置に切り替えることによって、織物保持手段６に支持される織物や試料を環境温度シミュレータ３の影響から遮断することができる。従って、本考案は遮断板５を備えることによって、織物保持手段６に支持される織物や試料が環境温度シミュレータ３の影響を受ける時間、つまり加熱時間を確実に制御して、より精確な計測結果を得ることができる。
【００１７】
また、遮断板５は固定ユニット８を介して支持柱７０に取り付けられており、そして固定ユニット８は上述の通りボルト８２と中空管状部８１とから構成されており、ボルト８２を緩めると図３に示されるように遮断板５は環境温度シミュレータ３と織物保持手段６との間から離れることができるので、本考案における遮断板５は、遮断位置と待機位置との間で素早く切り替えることができる。そして遮断板５の迅速な切り替えは、上記加熱時間の制御をより確実にすることができる。
【００１８】
温度感知手段４は、織物保持手段６の下方に配置されるとともに、環境温度シミュレータ３に光を照射される試料１及び試料２の下面の温度変化を織物保持手段６の支持枠６１の中空部を経由して同時、且つ持続的に感知することができるセンサーユニット４１と、該センサーユニット４１の感知結果をデータ化して記録して分析処理を実行できるデータ処理ユニット４２とを備えており、更に該データ処理ユニット４２の実行状況や結果を出力するディスプレイユニット４２１が配置されている。センサーユニット４１としては赤外線サーモグラフィーが使用されており、感知したデータは、転送されてデータ処理ユニット４２としてのコンピュータにおいてデータ化され、且つ記録されて分析処理が実行される。なお、センサーユニット４１から得られたデータは無線技術で転送することも可能であり、またディスプレイユニット４２１の代わりに投影機を使用してもよい。
【００１９】
図３が示すように、遮断板５を遮断しない待機位置に置き、回旋ユニット６２によって織物保持手段６を左右に回動させ水平にし、またセンサーユニット４１が織物保持手段６に対して平行になるように温度感知手段４を回動させ、試料１及び試料２の温度を感知する。このような実施形態では織物の下面温度を計測することができる。
【００２０】
図４と図５とは本考案の第２実施形態を示しており、この第２の実施形態は第１の実施形態と類似しているため、図面における対応する箇所には第１の実施形態と同じ番号が付けられている。以下ではその相違点を中心に説明する。
【００２１】
図４に示されているように、この実施形態は、温度感知手段４のセンサーユニット４１が織物保持手段６の上方に設置されており、環境温度シミュレータ３による加熱に応じて変化する、織物保持手段６に支持される試料１と試料２の上面の温度変化を計測するものである。また、図５に示されているように、織物保持手段６の上方に設置される温度感知手段４が環境温度シミュレータ３からの光の照射を干渉しないようにするために、環境温度シミュレータ３は下方へ垂直に光を照射し、織物保持手段６の支持枠６１は試料１及び試料２が環境温度シミュレータ３からの光を斜めに受けられるように斜めに配置され、そして温度感知手段４は支持枠６１により支持されている試料１及び試料２に対応して、環境温度シミュレータ３の隣で試料１及び試料２に対面してこれらの温度変化を計測できるように配置されている。
【００２２】
このように、本考案の第１の実施形態では、織物保持手段６に支持されている試料１と試料２との下面の温度変化を計測することができ、そして第２の実施形態では、織物保持手段６に支持されている試料１と試料２との上面の温度変化を計測することができる。従って、本考案は環境温度シミュレータ３からの光の照射に応じて変化する複数の試料の温度変化を持続的に計測することによって、複数の試料の吸熱／放熱性能を計測して比較することができる上に、同一試料の上面と下面との温度変化を持続的に計測することにより、異なる試料がそれぞれ持っている断熱効果を計測して比較することができる。
【００２３】
また、図６は本考案の第３実施形態を示している。この第３の実施形態は第１の実施形態と類似しているので、対応する箇所では第１の実施形態と同じ番号が付けられている。この第３の実施形態においては、環境温度シミュレータ３として、織物保持手段６に設置される試料１及び試料２の温度を下降させるための低温窒素ガス吹き付け装置３２を用いている。低温窒素ガスによって寒い気候を模擬することで、試料１及び試料２の低温環境下における保熱性が計測できる。
【産業上の利用可能性】
【００２４】
上記構成により、本考案の織物温度計測装置は、織物保持手段に設置された複数の織物の、環境温度シミュレータに応じて変化した温度を同時に持続的に感知することによって、複数の織物の環境温度に対応する温度変化を持続的に計測して比較することができるので、快適な織物を開発するのに必要なデータ収集を補助することができる。
【符号の説明】
【００２５】
１、２  試料
３      環境温度シミュレータ
３１    光加熱用ハロゲンランプ
３２    低温窒素ガス吹き付け装置
４      温度感知手段
４１    センサーユニット
４２    データ処理ユニット
５      遮断板
６      織物保持手段
６１    支持枠
６２    回旋ユニット
６２１  中空管状部
６２２  ボルト
７      支持架台
７０    支持柱
８      固定ユニット
８１    中空管状部
８２    ボルト
【図１】
0003176154.tif 000003
【図２】
0003176154.tif 000004
【図３】
0003176154.tif 000005
【図４】
0003176154.tif 000006
【図５】
0003176154.tif 000007
【図６】
0003176154.tif 000008
【図７】
0003176154.tif 000009